(57)【要約】【課題】光が照射される領域の温度を簡易な配線で測定し、測定した温度に応じて画像を表示する。【解決手段】反射型の液晶パネルは、液晶に接する画素電極が配列され画像を表示する有効表示領域ａ１１の周囲に黒を表示する領域ａ１２が設けられている。領域ａ１２の周囲には、画素電極が一続きに接続されて抵抗体として機能し、黒を表示する領域ａ２がある。領域ａ２の周囲には、画素電極が配列され黒を表示する領域ａ３が設けられ、領域ａ３の周囲には、光を遮光する遮光層の領域ｂが設けられている。液晶パネルに入射した光は、領域ｂにおいては遮光される。抵抗体として機能する領域ａ２の両端には、予め定められた電圧の信号が印加され、領域ａ２の両端の間に流れる電流を測定することにより、画素電極に接する液晶の温度が測定される。領域ａ１１の画素電極に印加される電圧は、測定した温度に応じて補正される。【選択図】図２
2012141360.tif 000002
【特許請求の範囲】
【請求項１】
画像を表示する表示領域と、
前記表示領域の周縁に設けられた第１領域と、
前記第１領域の周縁に設けられた第２領域と、
前記第２領域において複数の画素電極がそれぞれ互いに電気的に接続された抵抗体と、
前記表示領域の画素電極の各々に、供給される映像信号に応じた電位をそれぞれ印加する駆動回路と、
前記抵抗体の一端に第１信号を印加し、前記抵抗体の他端に第２信号を印加する信号印加部と、
前記抵抗体に流れる電流を検出する検出部と、
前記検出された電流によって前記映像信号を補正する制御回路と
を有する電気光学装置。
【請求項２】
前記第１信号と前記第２信号は、所定の電位より高位の電位と、前記所定の電位より低位の電位とを交互に印加する信号であり、
前記第１信号が前記所定の電位より高位である時には、前記第２信号は、前記所定の電位より低位の電位であり、
前記第１信号が前記所定の電位より低位である時には、前記第２信号は、前記所定の電位より高位の電位であること
を特徴とする請求項１に記載の電気光学装置。
【請求項３】
前記第１信号の振幅と、前記第２信号の振幅とが異なることを特徴とする請求項２に記載の電気光学装置。
【請求項４】
前記第１信号の振幅と、前記第２信号の振幅とが同じであることを特徴とする請求項２に記載の電気光学装置。
【請求項５】
前記第２信号は、所定の電位の信号であり、
前記第１信号は、前記第２信号の電位より高位の電位と、前記第２信号の電位より低位の電位とを交互に印加する信号であること
を特徴とする請求項１に記載の電気光学装置。
【請求項６】
前記第１信号と前記第２信号は、所定の電位と、前記所定の電位より高位の電位と、前記所定の電位より低位の電位とを印加し、
前記第１信号が前記所定の電位である時には、前記第２信号は、前記高位の電位または前記低位の電位であり、
前記第２信号が前記所定の電位である時には、前記第１信号は、前記高位の電位または前記低位の電位であること
を特徴とする請求項１に記載の電気光学装置。
【請求項７】
前記信号印加部は、前記駆動回路へ前記映像信号の供給が開始される前においては、前記画素電極に対向して設けられたコモン電極に印加される電位と同じ電位の信号を印加すること
を特徴とする請求項１乃至６のいずれかに記載の電気光学装置。
【請求項８】
前記信号印加部は、前記駆動回路へ前記映像信号の供給を終了する場合、前記コモン電極に印加される電圧と同じ電圧の信号を印加すること
を特徴とする請求項７に記載の電気光学装置。
【請求項９】
請求項１乃至８のいずれかに記載の電気光学装置を有することを特徴とする電子機器。
【発明の詳細な説明】
【技術分野】
【０００１】
本発明は、電気光学装置および電気光学装置を用いて画像を表示する電子機器に関する。
【背景技術】
【０００２】
液晶パネルにおける液晶素子では、液晶に印加される電圧が同じであっても液晶の温度によって階調が変化する。このため、液晶パネルにおいて温度を検出し、検出した温度に応じて各種の制御を行う技術が提案されている。例えば、特許文献１に開示された液晶表示装置は、表示領域の周囲の表示領域外に表示に奇与しない電極を設け、この電極を温度検知センサーとして液晶の温度を検出し、検出結果に応じて駆動回路を制御している。また、特許文献２に開示された表示装置は、液晶内に温度センサーを付加した画素を表示面の中心に設け、温度センサーで検出した温度に基づいて、液晶の駆動基板の冷却機構を制御している。また、特許文献３に開示された液晶表示装置は、表示パネルに配列された走査電極の周囲を囲うように透明電極のパターンが形成されており、このパターンの抵抗値に応じて駆動電圧を制御している。また、特許文献４に開示された表示装置は、画像が形成される領域外に液晶層を挟んで対向する電極を有しており、この電極に交流電圧信号を供給する電源と、温度変化検出用抵抗が接続される。そして、この表示装置は、温度変化検出用抵抗の両端間の電圧を監視して温度を検出し、検出した温度に応じて駆動電圧を制御している。
【先行技術文献】
【特許文献】
【０００３】
【特許文献１】特開平１０−９６９３９号公報
【特許文献２】特開２００８−２５６８２１号公報
【特許文献３】特開平９−５７１３号公報
【特許文献４】特開平５−３２３２８５号公報
【発明の概要】
【発明が解決しようとする課題】
【０００４】
特許文献２に開示された発明は、表示面の中心に温度センサーを配置するため、温度センサーから出力される信号を得るための配線を、液晶素子を駆動するための配線とは別に表示面の中心から特別に設ける必要があり、配線層の増加を伴うためコストアップが避けられない。また、特許文献１，３，４に開示された発明は、温度を検知するための電極を光が照射されて画像が表示される表示領域外に設けるため、光が照射される領域と異なる温度が測定される可能性がある。
【０００５】
本発明は、上述した課題に鑑みてなされたものであり、その目的の一つは、光が照射される領域の温度を簡易な配線で測定し、測定した温度に応じて画像を表示する技術を提供することにある。
【課題を解決するための手段】
【０００６】
上記目的を達成するために、本発明に係る電気光学装置にあっては、画像を表示する表示領域と、前記表示領域の周縁に設けられた第１領域と、前記第１領域の周縁に設けられた第２領域と、前記第２領域において複数の画素電極がそれぞれ互いに電気的に接続された抵抗体と、前記表示領域の画素電極の各々に、供給される映像信号に応じた電位をそれぞれ印加する駆動回路と、前記抵抗体の一端に第１信号を印加し、前記抵抗体の他端に第２信号を印加する信号印加部と、前記抵抗体に流れる電流を検出する検出部と、前記検出された電流によって前記映像信号を補正する制御回路とを有することを特徴とする。
抵抗体として機能する画素電極に係る画素は、光が照射され、抵抗体を流れる電流が画素の温度に応じて変化する。この電流は、画素の温度を表し、電流に応じて映像信号を補正すると、温度変化による階調の変化を抑えることができる。抵抗体として機能する画素電極は、一続きに接続されるので、簡易な配線で温度を測定することが可能となる
【０００７】
上記構成において、前記第１信号と前記第２信号は、所定の電位より高位の電位と、前記所定の電位より低位の電位とを交互に印加する信号であり、  前記第１信号が前記所定の電位より高位である時には、前記第２信号は、前記所定の電位より低位の電位であり、前記第１信号が前記所定の電位より低位である時には、前記第２信号は、前記所定の電位より高位の電位としてもよい。
このように構成すると、第１信号と第２信号の電位を一定にする場合と比較して、電位差を大きくとることができ、電流の測定が容易となる。また、画素に直流成分が印加されるのを抑えることができる。
【０００８】
また、上記構成において、前記第１信号の振幅と、前記第２信号の振幅とが異なるようにしてもよい。
このように構成すると、第１信号と第２信号の電位を一定にする場合と比較して、電位差を大きくとることができ、電流の測定が容易となる。また、液晶に直流成分が印加されるのを抑えることができる。
【０００９】
また、上記構成において、前記第１信号の電圧の振幅と、前記第２信号の電圧の振幅とが同じであってもよい。
このように構成すると、第１信号と第２信号の電位を一定にする場合と比較して、電位差を大きくとることができ、電流の測定が容易となる。また、液晶に直流成分が印加されるのを抑えることができる。
【００１０】
また、上記構成において、前記第２信号は、所定の電位の信号であり、前記第１信号は、前記第２信号の電位より高位の電位と、前記第２信号の電位より低位の電位とを交互に印加する信号であってもよい。
このように構成すると、画素に直流成分が印加されるのを抑えることができる。
【００１１】
また、上記構成において、前記第１信号と前記第２信号は、所定の電位と、前記所定の電位より高位の電位と、前記所定の電位より低位の電位とを印加し、前記第１信号が前記所定の電位である時には、前記第２信号は、前記高位の電位または前記低位の電位であり、前記第２信号が前記所定の電位である時には、前記第１信号は、前記高位の電位または前記低位の電位であってもよい。
このように構成すると、第１信号と第２信号の電位を一定にする場合と比較して、電位差を大きくとることができ、電流の測定が容易となる。また、画素に直流成分が印加されるのを抑えることができる。
【００１２】
また、上記構成において、前記信号印加部は、前記駆動回路へ前記映像信号の供給が開始される前においては、前記画素電極に対向して設けられたコモン電極に印加される電位と同じ電位の信号を印加する構成としてもよい。
このように構成すると、画像が表示される前においては、前記第２領域は、黒を表示することが可能になるため、画像の表示前に不要な表示がされることを防ぐことができる。
【００１３】
また、上記構成において、前記信号印加部は、前記駆動回路へ前記映像信号の供給を終了する場合、前記コモン電極に印加される電圧と同じ電圧の信号を印加する構成としてもよい。
このように構成すると、画像の表示を終了する時に画素に不要な電荷が残るのを防ぐことができる。
【００１４】
なお、本発明は、電気光学装置のほか、当該電気光学装置を含む電子機器としても概念することが可能である。
【図面の簡単な説明】
【００１５】
【図１】実施形態に係る液晶パネルの構成を示す図。
【図２】液晶パネルに設けられる領域を説明する図。
【図３】液晶パネルの回路構成を示す図。
【図４】液晶パネルにおける画素の等価回路を示す図。
【図５】液晶素子の温度を測定するハードウェアの構成を示した図。
【図６】温度測定に係る画素電極に印加する電圧を示した図。
【図７】液晶素子の印加電圧と反射率の関係を示した図。
【図８】テーブルＴＢ１の内容を示した図。
【図９】液晶パネルを適用したプロジェクターの構成を示した図。
【図１０】第２実施形態で温度測定に係る画素電極に印加する電圧を示した図。
【図１１】第３実施形態で温度測定に係る画素電極に印加する電圧を示した図。
【図１２】第３実施形態の変形例で温度測定に係る画素電極に印加する電圧を示した図。
【図１３】第４実施形態で温度測定に係る画素電極に印加する電圧を示した図。
【図１４】変形例において液晶パネルに設けられる領域を説明する図。
【図１５】変形例において液晶素子の温度を測定するハードウェアの構成を示した図。
【発明を実施するための形態】
【００１６】
［第１実施形態］
以下、本発明の第１実施形態について説明する。まず、本実施形態に係る電気光学装置である液晶パネルの構造の概略について説明する。本実施形態に係る液晶パネルは、反射型であり、後述するプロジェクターのライトバルブとして用いられる。
【００１７】
図１（Ａ）は、実施形態に係る液晶パネル１００の構造を示す斜視図であり、図１（Ｂ）は、図１（Ａ）におけるＨ−ｈ線で破断した断面図である。なお、図面においては、各層、各部材、各領域などを認識可能な大きさとするために、縮尺を異ならせている場合がある。これらの図に示されるように、液晶パネル１００は、画素電極１１８が形成された素子基板１０１と、コモン電極１０８が設けられた対向基板１０２とが、スペーサー（図示省略）を含むシール材９０によって一定の間隙を保って、互いに電極形成面が対向するように貼り合わせられて、この間隙に例えばＶＡ（Vertical Alignment）型の液晶１０５が封入された構造になっている。
【００１８】
本実施形態において素子基板１０１および対向基板１０２には、それぞれガラスや石英などの光透過性を有する基板が用いられる。素子基板１０１にあっては、対向基板１０２よりも図１（Ａ）においてＹ方向のサイズが長いが、奥側（ｈ側）が揃えられた状態で貼り合わせられているので、素子基板１０１の手前側（Ｈ側）の一辺が対向基板１０２から張り出している。この張り出した領域にＸ方向に沿って複数の端子１０７が設けられる。なお、複数の端子１０７は、ＦＰＣ（Flexible Printed Circuits）基板に接続されて、外部上位装置から各種信号や各種電圧、映像信号が供給される構成となっている。
【００１９】
素子基板１０１において、対向基板１０２と対向する面に形成された画素電極１１８は、詳細には後述するが、アルミニウムなどの反射性金属層をパターニングしたものである。対向基板１０２において、素子基板１０１と対向する面に設けられたコモン電極１０８は、ＩＴＯ（Indium Tin Oxide）などの透明性を有する導電層である。また、対向基板１０２においては、遮光性材料からなる遮光層１０９がコモン電極１０８の周囲に設けられている。
なお、シール材９０は、対向基板１０２の縁に沿って額縁状に形成されるが、液晶１０５を封入するために、その一部が開口している。このため、液晶１０５の封入後に、その開口部分が封止材９２によって封止される。また、素子基板１０１において対向基板１０２に向かい合う面、および対向基板１０２において素子基板１０１に向かい合う面には、電圧無印加状態において液晶分子を基板面の法線方向に沿って配向させる配向膜がそれぞれ設けられるが、図１（Ｂ）ではその図示が省略されている。
【００２０】
次に、図１（Ｂ）で示した素子基板１０１の領域ａ，ｂについて、図２を参照して説明する。図２は、図１（Ａ）において上方から、すなわち対向基板１０２側から液晶パネル１００を平面視したときの領域ａ，ｂの位置関係を模式的に示した図である。図２において、領域ｂは、遮光層１０９の領域である。対向基板１０２側から液晶パネル１００に入射する光は、領域ｂにおいては遮光層１０９で遮光され、領域ａにおいては対向基板１０２を通過する。図２において、領域ａは、画素１１０がマトリクス状に配列された領域であり、領域ａ１〜ａ３で構成されている。なお、図２においては、領域ａ２に係る画素１１０を他の領域に係る画素１１０と区別しやすくするため、領域ａ２に係る画素１１０にはハッチングを施してある。
【００２１】
領域ａ１は、画像の表示と黒枠の表示を行う領域である。領域ａ１は、画素１１０が複数行複数列でマトリクス状に配列される領域ａ１１と、画素１１０が領域ａ１１の外周に沿って配列される領域ａ１２で構成されている。領域ａ１１は、画像を表示する有効表示領域である。一方、領域ａ１２は、黒を表示する領域（第１領域）であり、遮光層１０９と同様に黒として視認される。
【００２２】
領域ａ２は、黒を表示する領域（第２領域）である。領域ａ２は、領域ａ１２より外側で、領域ａ１２のＸ方向に沿う２辺に沿って配列された複数の画素１１０と、領域ａ１２より外側で、領域ａ１２のＹ方向に沿う１辺に沿って配列された複数の画素１１０とで構成されている。なお、領域ａ２にある画素１１０は、隣り合う画素１１０の画素電極１１８同士が図示したように配線で接続されている。即ち、領域ａ２にある画素電極１１８は、直列に接続されており、一本の抵抗体Ｒとして機能する。
【００２３】
領域ａ３は、黒を表示する領域である。領域ａ３は、領域ａ２より外側で、領域ａ２のＸ方向に沿う２辺に沿って配列された複数の画素１１０と、領域ａ２より外側で、領域ａ２のＹ方向に沿う１辺に沿って配列された複数の画素１１０とで構成されている。領域ａ３は、遮光層１０９と同様に黒枠として視認される。
即ち、本実施形態においては、有効表示領域となる領域ａ１１の外側に、黒を表示する領域ａ１２、領域ａ２、領域ａ３および領域ｂがあり、領域ａ１２、領域ａ２、領域ａ３および領域ｂは、図２に示したように有効表示領域の外側で黒枠として視認される。
【００２４】
次に、液晶パネル１００の電気的な構成について図３を参照して説明する。上述したように、液晶パネル１００は、素子基板１０１と対向基板１０２とが一定の間隙を保って貼り合わせられるとともに、この間隙に、液晶１０５が挟持されている。素子基板１０１のうち、対向基板１０２との対向面には、複数ｍ行の走査線１１２が図においてＸ方向に沿って設けられる一方、複数ｎ列のデータ線１１４が、Ｙ方向に沿って、かつ、各走査線１１２と互いに電気的に絶縁を保って設けられている。
素子基板１０１の領域ａでは、ｍ行の走査線１１２とｎ列のデータ線１１４との交差のそれぞれに対応して、スイッチング素子の一例としてｎチャネル型のＴＦＴ１１６と、反射性を有する画素電極１１８との組が設けられている。ＴＦＴ１１６のゲート電極は走査線１１２に接続され、ソース電極がデータ線１１４に接続され、ドレイン電極が画素電極１１８に接続されている。このため、本実施形態において領域ａには、画素電極１１８がｍ行ｎ列でマトリクス状に配列することになる。
なお、本実施形態では、データ線１１４を区別するために、図３において左から順に１、２、３、・・・、（ｎ−１）、ｎ列目という呼び方をする場合がある。同様に、走査線１１２を区別するために、図３において上から順に１、２、３、・・・、（ｍ−１）、ｍ行目という呼び方をする場合がある。
【００２５】
データ線駆動回路１６０は、１、２、３、・・・、ｎ列目のデータ線１１４を駆動する。詳細にはデータ線駆動回路１６０は、端子１０７を介して供給された映像信号を、同じく端子１０７を介して供給された各種制御信号によって１、２、３、・・・、ｎ列のデータ線１１４に分配し保持させて、データ信号Ｘ１、Ｘ２、 Ｘ３、・・・、Ｘｎとして供給する。なお、データ線駆動回路１６０は、図３に示したように、領域ａにおいてＸ方向に沿った一辺に隣接する領域に設けられる。
【００２６】
２つの走査線駆動回路１７０は、１、２、３、・・・、ｍ行目の走査線１１２を両側から駆動する。詳細には、走査線駆動回路１７０は、端子１０７を介して供給された各種制御信号によって走査信号Ｙ１、Ｙ２、Ｙ３、・・・、Ｙｍをそれぞれ生成し、１、２、３、・・・、ｍ行目の走査線１１２の両側から供給する。また、走査線駆動回路１７０は、図３に示したように、領域ａにおいてＹ方向に沿った２辺に隣接する領域にそれぞれ設けられる。
【００２７】
一方、対向基板１０２のうち、素子基板１０１との対向面、具体的には、領域ａとの対向面には、透明性を有するコモン電極１０８が設けられる。コモン電極１０８には、端子１０７および図示せぬ配線を介して、電圧ＬＣcomが印加される。
【００２８】
図４は、領域ａにおける画素１１０の等価回路を示す図であり、走査線１１２とデータ線１１４との交差に対応して、画素電極１１８とコモン電極１０８とで液晶１０５を挟持した液晶素子１２０が配列した構成となる。なお、図３では省略したが、実際には図４に示されるように、液晶素子１２０に対して並列に補助容量（蓄積容量）１２５が設けられる。この補助容量１２５は、一端が画素電極１１８に接続され、他端が容量線１１５に共通接続されている。本実施形態では、容量線１１５には、コモン電極１０８と同じ電圧ＬＣcomが印加される。
【００２９】
このような構成において、走査線駆動回路１７０が、ある１行の走査線を選択して、当該走査線１１２をＨレベルにすると、当該走査線にゲート電極が接続されたＴＦＴ１１６がオン状態になり、画素電極１１８がデータ線１１４に電気的に接続された状態になる。このため、走査線１１２がＨレベルであるときに、データ線駆動回路１６０が、階調に応じた電圧のデータ信号をデータ線１１４に供給すると、当該データ信号は、オン状態になったＴＦＴ１１６を介して画素電極１１８に印加される。走査線１１２がＬレベルになると、ＴＦＴ１１６はオフ状態になるが、画素電極に印加された電圧は液晶素子１２０の容量性および補助容量１２５によって保持される。
走査線駆動回路１７０は、１行目からｍ行目までの走査線１１２を順番に選択するとともに、データ線駆動回路１６０が、選択された走査線１１２に位置する１行分の画素に対しデータ信号を、データ線１１４を介して供給することによって、すべての液晶素子１２０に階調に応じた電圧が印加・保持される。この動作が１フレーム（１垂直走査期間）毎に繰り返される。
液晶素子１２０では、画素電極１１８およびコモン電極１０８の間によって生じる電界の強さに応じて液晶１０５の分子配向状態が変化する。なお、直流成分の印加による液晶１０５の劣化を防止するために、液晶素子１２０については交流駆動が実行される。また、本実施形態では、交流駆動は、同一フレーム内において各液晶素子１２０の書き込み極性をすべての同一とする面反転方式としている。
【００３０】
図１（Ａ）において対向基板１０２の上面から入射した光は、図示省略した偏光子、対向基板１０２、コモン電極１０８、液晶１０５という経路を辿った後、画素電極１１８によって反射して、それまでとは逆向きの経路を辿って出射する。このときに液晶素子１２０に入射する光量に対して出射する光量の比率、すなわち反射率は、液晶素子１２０に印加・保持された電圧が高くなるにつれて、大きくなる。
このようにして、液晶パネル１００では、液晶素子１２０毎に反射率が変化するので、液晶素子１２０が、表示すべき画像の最小単位である画素として機能することになる。液晶素子１２０は、平面視したときに画素電極１１８で規定されるので、画素電極１１８の配列する領域が上述した領域ａになる。
【００３１】
次に、液晶素子１２０の温度を測定する構成について説明する。図５は、液晶素子１２０の温度を測定するハードウェアの構成を示した図である。上述したように、領域ａ２に係る画素電極１１８は、直列に接続されて一本の抵抗体Ｒとして機能する。抵抗体Ｒの一方の端には、端子Ｔ１が接続され、抵抗体Ｒの他端には端子Ｔ２が接続されている。第１信号印加部２０１は、端子Ｔ１に予め定められた信号（第１信号）を印加するものであり、端子Ｔ１に接続されている。第２信号印加部２０２は、端子Ｔ２に予め定められた信号（第２信号）を印加するものであり、電流検出器２０５を介して端子Ｔ２に接続されている。なお、本実施形態においては、図６に示したように、端子Ｔ２には電圧が一定であり電圧が電圧ＬＣcomである信号が印加され、端子Ｔ１には、電圧が一定で電圧が電圧ＬＣcom＋電圧Ｖａである信号が印加される。
【００３２】
なお、本実施形態において、液晶素子１２０の印加電圧（Ｖ）と反射率（Ｒ）との関係は、液晶１０５をＶＡ方式のノーマリーブラックモードとしているので、図７に示されるようなＶ（電圧）−Ｒ（反射率）特性で表される。領域ａ２は、黒を表示するため、領域ａ２の液晶素子１２０に掛かる電圧は、領域ａ２の液晶素子１２０をノーマリーブラックモードにおける黒レベルにする電圧Ｖbk以下となるように設定される。図７に示すようにＶＡモードでは黒レベル側に充分な飽和領域を有している。本実施形態では温度測定のために温度依存性を有する抵抗体Ｒの端子間に電圧を印加し、その結果電圧Ｖbk以下である数Ｖ程度の電圧が液晶層に印加されても黒表示に与える影響は視覚的に認識しがたい点を利用している。
【００３３】
また、電流検出部として機能する電流検出器２０５は、抵抗体Ｒに流れる電流を検知するものであり、抵抗体Ｒと第２信号印加部２０２に直列接続されている。また、電流検出器２０５は、の出力はＡ／Ｄコンバーター２０３に接続されており、検知した電流の電流値を表す信号（電流値Ｉ）をＡ／Ｄコンバーター２０３に出力する。Ａ／Ｄコンバーター２０３は、電流値Ｉをデジタル信号に変換し、電流値Ｉを表す信号Ｓ１を制御部２０４へ出力する。
【００３４】
制御部２０４は、Ａ／Ｄコンバーター２０３から供給される信号Ｓ１を取得し、取得した信号Ｓ１から、電流値Ｉを求める。また、制御部２０４は、電流値Ｉと抵抗体Ｒの温度との関係を表すテーブルＴＢ１（図８）を記憶している。抵抗体Ｒの抵抗値は、抵抗体Ｒの温度に応じて変化し、電流値Ｉは、抵抗体Ｒの抵抗値に応じて変化する。即ち、電流値Ｉは、抵抗体Ｒの温度に応じて変化する。このため、電流値Ｉと抵抗体Ｒの温度との関係を予め測定し、この関係を表すテーブルＴＢ１を作成すれば、電流値Ｉを求めることにより、テーブルＴＢ１を用いて抵抗体Ｒの温度を求めることができる。なお、抵抗体Ｒを構成する画素電極１１８は、液晶１０５に接しているため、求めた抵抗体Ｒの温度は、液晶１０５の温度を表すことになる。
【００３５】
また、制御部２０４は、データ線駆動回路１６０と走査線駆動回路１７０を制御し、各種制御信号をデータ線駆動回路１６０と走査線駆動回路１７０へ供給する。なお、制御部２０４は、抵抗体Ｒの温度を求めると、求めた温度に応じて映像信号を補正し、補正した映像信号をデータ線駆動回路１６０へ供給する。映像信号の電圧は、画素１１０の階調を決定するものであり、制御部２０４は、温度が変化しても階調が変化しないように、求めた抵抗体Ｒの温度に応じて映像信号の電圧を調整する。例えば、温度が低い場合には映像信号の電圧を高い方へ補正し、温度が高い場合には映像信号の電圧を低い方へ補正する。
【００３６】
そして、領域ａ３の液晶素子１２０には、画素１１０の階調を、ノーマリーブラックモードの黒レベルにする電圧を印加する。また、領域ａ２の液晶素子１２０についても、画素１１０の階調を、ノーマリーブラックモードの黒レベルにする電圧を印加する。また、領域ａ１２の液晶素子１２０についても、画素１１０の階調を、ノーマリーブラックモードの黒レベルにする電圧を印加する。
このように、領域ａ３、領域ａ２および領域ａ１２の液晶素子１２０について、ノーマリーブラックモードの黒レベルにする電圧を印加することにより、領域ａ３、領域ａ２および領域ａ１２の反射率は黒レベルとなる。また、領域ａ１１の液晶素子１２０については、表示する画像に応じた電圧が印加され、領域ａ１１の反射率は、映像信号に応じた反射率となる。
【００３７】
次に、上述した実施形態に係る反射型の液晶パネル１００を適用した電子機器について説明する。図９は、液晶パネル１００をライトバルブとして用いてプロジェクター１１００の構成を示す平面図である。この図に示されるように、プロジェクター１１００は、実施形態に係る反射型の液晶パネル１００を、Ｒ（赤）、Ｇ（緑）、Ｂ（青）の各色に対応させた３板式である。プロジェクター１１００の内部には、偏光照明装置１１１０がシステム光軸ＰＬに沿って配置されている。この偏光照明装置１１１０において、ランプ１１１２からの出射光は、リフレクター１１１４による反射で略平行な光束となって、第１のインテグレータレンズ１１２０に入射する。この第１のインテグレータレンズ１１２０により、ランプ１１１２からの出射光は、複数の中間光束に分割される。この分割された中間光束は、第２のインテグレータレンズを光入射側に有する偏光変換素子１１３０によって、偏光方向がほぼ揃った一種類の偏光光束（ｓ偏光光束）に変換されて、偏光照明装置１１１０から出射されることになる。
【００３８】
偏光照明装置１１１０から出射されたｓ偏光光束は、偏光ビームスプリッター１１４０のｓ偏光光束反射面１１４１によって反射される。この反射光束のうち、青色光（Ｂ）の光束がダイクロイックミラー１１５１の青色光反射層にて反射され、液晶パネル１００Ｂによって変調される。また、ダイクロイックミラー１１５１の青色光反射層を透過した光束のうち、赤色光（Ｒ）の光束は、ダイクロイックミラー１１５２の赤色光反射層にて反射され、液晶パネル１００Ｒによって変調される。一方、ダイクロイックミラー１１５１の青色光反射層を透過した光束のうち、緑色光（Ｇ）の光束は、ダイクロイックミラー１１５２の赤 色光反射層を透過して、液晶パネル１００Ｇによって変調される。
ここで、液晶パネル１００Ｒ、１００Ｇおよび１００Ｂは、上述した実施形態における液晶パネル１００と同様であり、供給されるＲ、Ｇ、Ｂの各色に対応する映像信号でそれぞれ駆動されるものである。すなわち、このプロジェクター１１００では、液晶パネル１００が、Ｒ、Ｇ、Ｂの各色に対応して３組設けられて、Ｒ、Ｇ、Ｂの各色に対応する映像信号に応じてそれぞれ駆動される構成となっている。
【００３９】
液晶パネル１００Ｒ、１００Ｇ、１００Ｂによってそれぞれ変調された赤色、緑色、青色の光は、ダイクロイックミラー１１５２、１１５１、偏光ビームスプリッター１１４０によって順次合成された後、投射光学系１１６０によって、スクリーン１１７０に投射される。液晶パネル１００Ｒ、１００Ｂおよび１００Ｇには、ダイクロイックミラー１１５１、１１５２によって、Ｒ、Ｇ、Ｂの各原色に対応する光束が入射するので、カラーフィルタは必要ない。なお、電子機器としては、図９を参照して説明したプロジェクターの他、リヤ・プロジェクション型のテレビジョンやヘッドマウントディスプレイなどが挙げられる。
【００４０】
このような構成のもと、液晶パネル１００Ｒ、１００Ｇ、１００Ｂにおいては、領域ａ３、領域ａ２および領域ａ１２の領域は、反射率が黒レベルとなるため、これらの領域は、スクリーン１１７０においては黒枠として視認される。また、領域ａ１１については、映像信号に応じた反射率となって画像が表示される。
また、ランプ１１１２の発熱などにより、液晶素子１２０の温度が変化すると、抵抗体Ｒの抵抗値が変化し、電流値Ｉが変化する。制御部２０４は、Ａ／Ｄコンバーター２０３から供給される信号Ｓ１から抵抗体Ｒの温度、即ち、ランプ１１１２からの光が当たっている液晶１０５の温度を求める。制御部２０４は、液晶１０５の温度を求めると、求めた温度に応じて映像信号を補正し、スクリーン１１７０に投射される画像の階調を補正する。
【００４１】
なお、プロジェクター１１００においては、偏光照明装置１１１０から出射されて偏光ビームスプリッター１１４０およびダイクロイックミラー１１５１，１１５２を経由した光が領域ａ２に入射するため、領域ｂに温度センサーを配置する構成と比較すると、画像を表示する領域により近い部分で液晶１０５の温度を測定することができる。また、プロジェクター１１００においては、領域ａ２は、上述したように黒枠の一部として視認されるため、表示される画像に影響を与えることなく液晶１０５の温度を測定することができる。
【００４２】
［第２実施形態］
次に、本発明の第２実施形態について説明する。本発明の第２実施形態においては、実施形態に係る液晶パネル１００は、ハードウェア構成は第１実施形態と同じであり、端子Ｔ１に印加する電圧が第１実施形態と異なる。
【００４３】
図１０は、本実施形態に係る第１信号印加部２０１が端子Ｔ１に印加する電圧、本実施形態に係る第２信号印加部２０２が端子Ｔ２に印加する電圧、および本実施形態に係る端子Ｔ１と端子Ｔ２との間の電位差ΔＶを示した図である。図１０に示したように、端子Ｔ１には、電圧ＬＣcomに対して正の電圧と負の電圧が交互に印加される。また、端子Ｔ２には、第１実施形態と同じく、電圧ＬＣcomが印加される。このように端子Ｔ１と端子Ｔ２に電圧が印加されると、端子Ｔ１と端子Ｔ２との間の電位差は、図１０に示したように交互に正極性と負極性とになる。なお、本実施形態においても、領域ａ２の液晶素子１２０には、液晶素子１２０の階調をノーマリーブラックモードにおける黒レベルにする電圧が印加される。
【００４４】
制御部２０４は、電流値Ｉの絶対値を求めると、テーブルＴＢ１を用いて抵抗体Ｒの温度を求め、求めた温度に応じて映像信号を補正する。
【００４５】
本実施形態によれば、領域ａ２の液晶素子１２０に対して電圧ＬＣcomを中心にして正極性の電圧と負極性の電圧が交互に印加されるので、領域ａ２の液晶素子１２０に対して直流成分が印加されるのを防ぐことができる。
【００４６】
［第３実施形態］
次に、本発明の第３実施形態について説明する。本発明の第３実施形態においては、実施形態に係る液晶パネル１００は、ハードウェア構成は第１実施形態と同じであり、端子Ｔ１に印加する電圧と、端子Ｔ２に印加する電圧が第１実施形態と異なる。
【００４７】
図１１は、本実施形態に係る第１信号印加部２０１が端子Ｔ１に印加する電圧、本実施形態に係る第２信号印加部２０２が端子Ｔ２に印加する電圧、および本実施形態に係る端子Ｔ１と端子Ｔ２との間の電位差ΔＶを示した図である。図１１に示したように、端子Ｔ１には、電圧ＬＣcomに対して正の電圧と負の電圧が交互に印加される。また、端子Ｔ２にも、電圧ＬＣcomに対して正の電圧と負の電圧が交互に印加される。
【００４８】
なお、本実施形態においては、端子Ｔ１に印加される電圧の振幅と端子Ｔ２に印加される電圧の振幅が異なっており、端子Ｔ１に印加される電圧の振幅のほうが端子Ｔ２に印加される電圧の振幅より大きくなっている。また、本実施形態においては、端子Ｔ１に対して電圧ＬＣcomより高位側の電圧が印加されている期間においては、端子Ｔ２には電圧ＬＣcomより低位側の電圧が印加され、端子Ｔ１に対して電圧ＬＣcomより低位側の電圧が印加されている期間においては、端子Ｔ２には電圧ＬＣcomより高位側の電圧が印加される。
このように端子Ｔ１と端子Ｔ２に電圧が印加されると、端子Ｔ１と端子Ｔ２との間の電位差は、図１１に示したように交互に正極性と負極性とになる。なお、本実施形態においても、領域ａ２の液晶素子１２０には、画素１１０の階調をノーマリーブラックモードにおける黒レベルにする電圧が印加される。
【００４９】
制御部２０４は、電流値Ｉの絶対値を求めると、テーブルＴＢ１を用いて抵抗体Ｒの温度を求め、求めた温度に応じて映像信号を補正する。
【００５０】
本実施形態によれば、領域ａ２の液晶素子１２０に対して電圧ＬＣcomを中心にして正極性の電圧と負極性の電圧が交互に印加されるので、領域ａ２の液晶素子１２０に対して直流成分が印加されるのを防ぐことができる。また、本実施形態によれば、第１実施形態や第２実施形態と比較して、電位差ΔＶを大きくできるため、電流値Ｉの測定精度を向上させることができる。
なお、本実施形態においては、端子Ｔ１に印加する電圧の振幅と端子Ｔ２に印加する電圧の振幅が異なっているが、図１２に示したように、端子Ｔ１に印加する電圧の振幅と端子Ｔ２に印加する電圧の振幅を同じにしてもよい。
【００５１】
［第４実施形態］
次に、本発明の第４実施形態について説明する。本発明の第４実施形態においては、実施形態に係る液晶パネル１００は、ハードウェア構成は第１実施形態と同じであり、端子Ｔ１に印加する電圧と、端子Ｔ２に印加する電圧が第１実施形態と異なる。
【００５２】
図１３は、本実施形態に係る第１信号印加部２０１が端子Ｔ１に印加する電圧、本実施形態に係る第２信号印加部２０２が端子Ｔ２に印加する電圧、および本実施形態に係る端子Ｔ１と端子Ｔ２との間の電位差ΔＶを示した図である。図１３に示したように、本実施形態においては、端子Ｔ１と端子Ｔ２に電圧を印加する期間として、第１期間と第２期間がある。第１期間と第２期間は同じ長さであり、第１期間と第２期間は交互に訪れる。
まず、第１期間においては、端子Ｔ１に対して電圧ＬＣcomが印加され、端子Ｔ２に対しては、電圧ＬＣcomに対して正の電圧が印加された後に負の電圧が印加される。また、第２期間においては、端子Ｔ２に対して電圧ＬＣcomが印加され、端子Ｔ１に対しては、電圧ＬＣcomに対して負の電圧が印加された後に正の電圧が印加される。
【００５３】
このように端子Ｔ１と端子Ｔ２に電圧が印加されると、端子Ｔ１と端子Ｔ２との間の電位差は、図１３に示したように交互に正極性と負極性とになる。なお、本実施形態においても、領域ａ２の液晶素子１２０には、画素１１０の階調をノーマリーブラックモードにおける黒レベルにする電圧が印加される。
【００５４】
制御部２０４は、電流値Ｉの絶対値を求めると、テーブルＴＢ１を用いて抵抗体Ｒの温度を求め、求めた温度に応じて映像信号を補正する。
【００５５】
本実施形態によれば、領域ａ２の液晶素子１２０に対して電圧ＬＣcomを中心にして正極性の電圧と負極性の電圧が交互に印加されるので、領域ａ２の液晶素子１２０に対して直流成分が印加されるのを防ぐことができる。
【００５６】
［変形例］
以上、本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。
【００５７】
上述した実施形態においては、領域ａ２にある画素１１０は、一列のみであるが、図１４に示したように、領域ａ２には２列で画素１１０を配置してもよい。この構成においても、図１４において実線で示したように、領域ａ２にある画素１１０の画素電極１１８が一列となるように接続することにより、領域ａ２にある画素１１０の画素電極１１８が一つの抵抗体となるようにしてもよい。
【００５８】
本発明の第２実施形態にあっては、図１５に示したように、端子Ｔ１を第１信号印加部２０１または第２信号印加部２０２に接続するスイッチＳＷ１と、端子Ｔ２を第１信号印加部２０１または第２信号印加部２０２に接続するスイッチＳＷ２を設けてもよい。
また、図１５に示した構成にあっては、液晶パネル１００を有する電子機器の電源がオンにされて画像の表示を開始する前には、具体的には、データ線駆動回路１６０に映像信号の供給が開始される前には、スイッチＳＷ１とスイッチＳＷ２を制御して端子Ｔ１と端子Ｔ２を第２信号印加部２０２に接続して抵抗体Ｒに電圧ＬＣcomを印加し、映像信号の供給を開始する時にスイッチＳＷ１を制御して端子Ｔ１を第１信号印加部２０１に接続するようにしてもよい。また、図１５に示した構成にあっては、液晶パネル１００を有する電子機器の電源がオフにされてデータ線駆動回路１６０と走査線駆動回路１７０の動作を終了する場合、具体的には、データ線駆動回路１６０へ映像信号の供給を終了する場合、スイッチＳＷ１とスイッチＳＷ２を第２信号印加部２０２に接続して抵抗体Ｒに電圧ＬＣcomを印加するようにしてもよい。
【００５９】
上述した実施形態においては、領域ａ１２にある画素１１０は、領域ａ１１にある画素１１０と同じ構成であるため、黒だけでなく画像を表示することも可能である。このため、領域ａ２より内側にある液晶素子１２０について、階調を黒レベルにするデータ信号の供給先を変更することにより、領域ａ１１の位置を変更してもよい。領域ａ１１の位置を変更することにより、領域ａ３、領域ａ２および領域ａ１２により黒枠として視認される部分の上下左右の幅や有効表示領域の位置を変更することができる。
【００６０】
上述した実施形態においては、液晶１０５を、ノーマリーブラックモードとしているが、液晶１０５は、例えばＴＮ方式として、電圧無印加時において画素１１０が白状態となるノーマリーホワイトモードとしても良い。この場合、液晶素子１２０に印加する電圧が高くなるにつれて反射率が小さくなるため、領域ａ３、領域ａ２および領域ａ１２には、これらの領域が黒表示となるように電圧が印加される。
また、上述した実施形態においては、液晶パネル１００は反射型となっているが、液晶パネル１００は透過型であってもよい。
【００６１】
上述した実施形態においては、領域ａ３を設けず、領域ａにおいて領域ａ２が最も外側になるようにしてもよい。
【符号の説明】
【００６２】
９０…シール材、９２…封止材、１００，１００Ｂ，１００Ｇ，１００Ｒ…液晶パネル、１０１…素子基板、１０２…対向基板、１０５…液晶、１０７…端子、１０８…コモン電極、１０９…遮光層、１１０…画素、１１２…走査線、１１４…データ線、１１５…容量線、１１６…ＴＦＴ、１１８…画素電極、１２０…液晶素子、１２５…補助容量、１６０…データ線駆動回路、１７０…走査線駆動回路、２０１…第１信号印加部、２０２…第２信号印加部、２０３…Ａ／Ｄコンバーター、２０４…制御部、２０５…電流検出器、１１００…プロジェクター、１１１０…偏光照明装置、１１１２…ランプ、１１１４…リフレクター、１１４０…偏光ビームスプリッター、１１４１…ｓ偏光光束反射面、１１２０…インテグレータレンズ、１１３０…偏光変換素子１１３０、１１５１…ダイクロイックミラー、１１５２…ダイクロイックミラー、１１６０…投射光学系、１１７０…スクリーン、ＳＷ１，ＳＷ２…スイッチ
【図１】
2012141360.tif 000003
【図２】
2012141360.tif 000004
【図３】
2012141360.tif 000005
【図４】
2012141360.tif 000006
【図５】
2012141360.tif 000007
【図６】
2012141360.tif 000008
【図７】
2012141360.tif 000009
【図８】
2012141360.tif 000010
【図９】
2012141360.tif 000011
【図１０】
2012141360.tif 000012
【図１１】
2012141360.tif 000013
【図１２】
2012141360.tif 000014
【図１３】
2012141360.tif 000015
【図１４】
2012141360.tif 000016
【図１５】
2012141360.tif 000017